(57)【要約】【課題】貯穀害虫であるゾウムシ類を効率よく誘引、捕獲する方法を提供する。【解決手段】赤外線を放射してゾウムシ類を誘引して捕獲するゾウムシ類の捕獲方法で、好ましくは前記赤外線の放射に赤外線発光ダイオードを用い、また、前記ゾウムシ類がヨツモンマメゾウムシである。【選択図】なし【特許請求の範囲】
【請求項１】
赤外線を放射してゾウムシ類を誘引し、捕獲することを特徴とするゾウムシ類の捕獲方法。
【請求項２】
赤外線の放射に赤外線発光ダイオードを用いる請求項１に記載のゾウムシ類の捕獲方法。
【請求項３】
ゾウムシ類がヨツモンマメゾウムシである請求項１又は２に記載のゾウムシ類の捕獲方法。
【発明の詳細な説明】
【技術分野】
【０００１】
本発明は、貯穀害虫であるゾウムシ類を効果的に誘引して捕獲する方法に関する。
【背景技術】
【０００２】
農業生産では、農作物を害虫・病気等の被害から守るため、化学合成農薬である殺虫剤や殺菌剤などの散布が現在も行われている。しかし、健康問題や環境問題が取りざたされて、減農薬栽培や無農薬栽培などの散布薬剤削減方向に進んではいるが、これに代わる技術、代替え防除の確立が大きな課題である。代替え防除には、従前より生物的防除、物理的防除などがあるが、近年、殺虫剤や殺菌剤の使用量を減らし、他の防除法と組み合わせることにより、害虫密度レベルを経済的被害許容水準以下に減少させ、かつ低いレベルに維持するための害虫個体群管理システム（IPM）が提唱されている。害虫を撲滅させるものではなく、管理する考え方で、農薬による環境負荷を軽減し、最小の投下エネルギー量で最大の防除効果を得る技術が求められている。
【０００３】
この一つとして、近年、ＬＥＤ照明を用いた光による害虫の物理的防除方法が注目されており、可視光を発光する発光ダイオードを用いた陸棲節足動物の捕獲装置（特許文献１）や青色発光ダイオードまたは白色発光ダイオードを発光させて誘引し、捕獲する貯穀害虫捕獲方法（特許文献２）が提案されている。
ところで、ガや一部の甲虫・カメムシ類のような夜行性の昆虫類の色の認識は、人間の可視光の範囲（４００〜７００nm）よりも紫外領域（２５０〜４００nm）にずれていて、多くの昆虫は人間には見えない紫外線を「色」として認識している。夜行性の昆虫を誘引する光源のうち、相対的に紫外線を多く放射する光源（青色蛍光灯、ブラックライト、水銀灯など）の方が誘引力は高いと言われている（非特許文献１）。
【０００４】
しかしながら、貯穀害虫であるゾウムシ類は、可視光や紫外線には十分に誘引されないという問題があった。
なお、人体が発する赤外線（体温に近い波長）に近い赤外線を発して、蚊などの吸血性昆虫を誘引する捕集器（特許文献３）が提案されているが、吸血性でないゾウムシ類が赤外線に誘引されることについては教示、示唆する記載はない。
【先行技術文献】
【特許文献】
【０００５】
【特許文献１】特開２００３−８８２８８号公報
【特許文献２】特開２００８−２２８３３号公報
【特許文献３】特開２００５−６５６３１号公報
【非特許文献】
【０００６】
【非特許文献１】本多健一郎  「光を用いた病害虫防除技術の確立」（第１５回農作物病害虫防御フォーラム講演要旨  平成２１年６月１７日）
【発明の概要】
【発明が解決しようとする課題】
【０００７】
解決しようとする課題は、貯穀害虫であるゾウムシ類を効率よく誘引、捕獲する方法を提供することである。
【課題を解決するための手段】
【０００８】
本発明者は、種々の波長の光を用いてゾウムシ類の走行性について実験したところ、驚くべきことに、赤外線に対して正の走行性を示すことを見いだした。本発明は、かかる知見に基づきなされたもので、赤外線を放射してゾウムシ類を誘引し、捕獲することを最も主要な特徴とするものである。
【発明の効果】
【０００９】
本発明は、穀類の貯蔵施設、或いは輸送中のコンテナ内や船内で大量に発生しかねないゾウムシ類を捕獲でき、殺虫剤等に比較して、食品のみならず、そこで働く人及び自然環境の安全を確保できるとともに、ＬＥＤを用いることにより、省エネルギーの面からも非常に優れた効果を奏する。
【図面の簡単な説明】
【００１０】
【図１】図１は、本発明の好ましいゾウムシ類の捕獲装置を示した説明図である。
【発明を実施するための形態】
【００１１】
赤外線は波長７００nm〜１０００μmの電磁波であるが、本発明においては、これらのいずれの波長を用いてもよいが、好ましくは、波長７００〜２５００nmの近赤外帯域又は２.５〜４μmの中赤外帯域のものが好ましい。
また、本発明で使用する赤外線を放射する光源としては、赤外線を発光するものであれば特には制限はなく、市販の赤外線ランプや発光ダイオードを用いることができるが、特には、省エネルギーの観点から赤外線発光ダイオードが好ましく、ピーク波長が、８５０nm、８７０nm、９４０nm、９５０nmの発光ダイオードが特に好ましい。これらの発光ダイオードは、通常、数十個のLED素子を装着した照明装置として用いられる。
さらに、赤外線発光ダイオードを用いる場合は、電源として、太陽電池、乾電池、リチウム電池等を用いることができ、これらは捕獲装置内に設置できるため、装置の設置場所を選ばず、簡易に設置できる。
【００１２】
本発明で捕獲するゾウムシ類とは、いわゆるゾウムシ及びマメゾウムシであって、分類学上は、鞘翅（コウチュウ）目ゾウムシ上科ゾウムシ科、同オサゾウムシ科、及びマメゾウムシ科（ハムシ科マメゾウムシ亜科）に属する昆虫である。この中でも、特に、イネ科の穀物の害虫であるコクゾウムシや小豆やササゲの害虫であるヨツモンマメゾウムシ、アズキゾウムシ、その他豆類の害虫であるエンドウゾウムシ、ソラマメゾウムシなどである。特には、本発明はヨツモンマメゾウムシの捕獲に優れている。
【００１３】
赤外線放射により誘引されたゾウムシ類の捕獲には、一般に用いられている昆虫類の捕獲方法を用いることができる。例えば、一度入ったら出られないトラップ構造とする方法、粘着剤を用い粘着力により捕獲する方法、電撃により殺虫する方法、さらには殺虫剤により殺虫する方法があるが、トラップ構造或いは粘着剤による方法が、小型化でき、電気配線工事などが不要で、貯蔵施設、コンテナ、船内の任意の場所に設置でき、一定時間毎に捕獲ゾウムシ類を回収するだけであるので、好ましい。
【００１４】
トラップ構造による捕獲方法としては、例えば、図１に示したような、不透明な筒１の上部に、上部及び底部が開放された逆円錐台の蓋２を設け、また、筒１の底部には透明な底板３を取り付け、この底板３に赤外線を放射するLED素子を装着した照明装置４を、上向きに取り付けた捕獲装置を用いることが、構造が簡単で、取り扱いも簡便であり好ましい。この捕獲装置において、赤外線に誘引されたゾウムシ類は、上部の逆円錐台の開放部から入り、筒１の底に落ちて逃げ出すことができず、容易に捕獲できる。捕獲されたゾウムシ類は、上部の蓋を取り外して、回収する。なお、ゾウムシ類は、２〜４mm程度であるので、装置の大きさとしては、直径５〜５０cm、高さ１０〜５０cm、開放部の底部の大きさが１〜５cmでのもので十分であり、また照明装置は、装置の大きさにもよるがLED素子２０〜１００個程度、装着したもので十分で、非常にコンパクトな捕獲装置とすることができる。
【実施例】
【００１５】
（供試光源）
３８個の単色のＬＥＤ素子を装着したＬＥＤ照明装置を用いた。使用したＬＥＤの光色は、紫外線（４０５nm）、青（４７０nm）、緑（５３０nm）、黄色（５９０nm）及び赤（６３０nm）、赤外線（８５０nm）の６種類である。
【００１６】
（実験方法）
両端にある小部屋（ブース）に、ＬＥＤ照明でそれぞれ１色ずつ照射し、照明が干渉しないように中央部に仕切りのある装置（長さ；１００mm×幅；３０mm×高さ；３０mm）を用いた。実験中は蓋をして装置全体を覆い、完全に外の光が入らない状態で行った。ヨツモンマメゾウムシを中央部に２０匹放置し、１６０分後に移動した個体数をカウントした。
【００１７】
（結果）
一端のブースを単色光で照明し、他端のブースは照明を行わず、暗黒部とした場合について、単色光照射部と暗黒部への移動率を表１に示した。各ブース間の移動率について多重比較検定（Tukey）を行った結果、８５０nmの赤外線を使用した場合は、赤外線側に移動したものと暗黒部及び残留したものとの間に、ｐ＜０.０１で有意差が得られ、その他の色には有意な差は得られなかった。また、次に移動率が大きかったのは赤色光であるが、赤色光への移動はばらつきが大きく、移動が安定していなかった。これは赤外域の波長は認識できるが、赤色光付近が色の認識の境目と考えられる。
【００１８】
【表１】
2013165653.tif 000002
【００１９】
一方、一端のブースを赤外線で照明し、他端のブースを各単色光で照明した場合について、赤外線照明部と単色光照射部への移動率の結果を表２に示した。各ブース間の移動について、多重比較検定（Tukey）を行った結果、赤外線と他色を比較した場合、青色に対してのみ、ｐ＜０.０５で、これ以外の色の光に対しては、ｐ＜０.０１で有意な差が得られた。
【００２０】
【表２】
2013165653.tif 000003
【００２１】
以上の結果から、ゾウムシ類には赤色光以上の波長である赤外域付近の波長が捕集に有効であることが分かる。
【産業上の利用可能性】
【００２２】
本発明は、穀類の貯蔵施設、或いは輸送中のコンテナや船内で大量に発生しかねないゾウムシ類の捕獲に有用である。
【符号の説明】
【００２３】
１    筒
２    蓋
３    底板
４    照明装置
【図１】
2013165653.tif 000004